(57)【要約】【課題】光ピックアップ送り機構において、光ピックアップを移動させる際に、移動範囲の両端で異音の発生を少なくし、光ピックアップがロックすることを防止する。【解決手段】光ピックアップ１２を駆動するリードスクリュー１１の端部１７にはネジ溝１６とネジ山２９を形成しない。そして、案内軸支持部２１にコイルばね２８を取り付ける。以上のように構成することで、光ピックアップ部１２が端部１７まで移動した際にネジ溝１６が形成されていないのでネジ溝１６とラック部材１３との噛み合いが外れ歯飛びが発生しない。また、コイルばね２８によって他端方向へ付勢されているために、ラック部材１３のネジ部２６とリードスクリュー１１のネジ山２９とが接触した状態を保てるために他端方向への移動が確実に行える。【選択図】図２
2008152859.tif 000002
【特許請求の範囲】
【請求項１】
ネジ山を有しかつ回転駆動されるネジ軸と、
前記ネジ軸のネジ山に噛み合うネジ部を備えかつネジ軸の軸方向に沿って変位する変位部材と、
前記変位部材と連動して前記ネジ軸の軸方向に沿って変位する光ピックアップ部と、
前記ネジ軸を回転自在に支持する軸受部と、を備えた光ピックアップ送り機構において、
前記ネジ軸の少なくとも一端部が、前記変位部材との噛み合いが外れるとともに、前記ネジ軸の端部と変位部材の噛み合いが外れると前記光ピックアップ部を前記ネジ軸のネジ山に向かって付勢する付勢手段を備えたことを特徴とする光ピックアップ送り機構。
【請求項２】
前記付勢手段が、前記軸受部に備えられたことを特徴とする請求項１に記載の光ピックアップ送り機構。
【請求項３】
前記光ピックアップ部を前記ネジ軸の軸方向に沿って案内する案内部材と、前記案内部材を支持する案内部材支持部と、を備え、前記付勢手段が、前記案内部材支持部に備えられたことを特徴とする請求項１に記載の光ピックアップ送り機構。
【請求項４】
前記ネジ軸の端部が、前記光ピックアップ部が情報を読み取る光ディスクの最外周の外側および最内周の内側に位置することを特徴とする請求項１乃至３のうちいずれか一項に記載の光ピックアップ送り機構。
【請求項５】
前記付勢手段の付勢力は、前記変位部材のネジ部が前記ネジ軸のネジ山を超えない程度の力かつ、前記ネジ山に接触できる程度の力であることを特徴とする請求項１乃至４のうちいずれか一項に記載の光ピックアップ送り機構。
【請求項６】
請求項１乃至５のいずれか一項に記載の光ピックアップ送り機構を備えた光ディスク再生装置。
【発明の詳細な説明】
【技術分野】
【０００１】
本発明は、光ディスクにレーザ光を照射する光ピックアップを光ディスクの径方向に移動させる光ピックアップ送り機構と光ピックアップ送り機構を備えた光ディスク再生装置に関する。
【背景技術】
【０００２】
例えば、光ディスクなどに記録された情報を取り出す光ディスク再生装置は、前記情報を取り出すための光学式のピックアップ（光ピックアップ）を備えている。前記光ピックアップは、前記光ディスクの表面に相対向して配されるとともに、光ディスクの径方向に沿ってスライド移動自在に設けられている。
【０００３】
前記光ピックアップを光ディスクの径方向に沿ってスライド移動自在させるために、例えば、特許文献１や、特許文献２などに記載された送り機構が用いられてきた。前記送り機構は、駆動源としてのモータと、このモータにより回転駆動されるネジ軸と、前記光ピックアップと連動して変位可能なナットと、付勢手段と、を備えている。
【０００４】
前記モータは、ネジ軸を軸回りに回転させる。前記ネジ軸は、一方向に沿って延在した棒状に形成されかつ外周面にネジ溝を備えている。ナットは、前記ネジ軸のネジ溝と噛み合った状態で配されている。ナットは、前記ネジ軸に対し接離自在に設けられている。付
勢手段は、前記ナットを前記ネジ軸に向かって付勢する。
【０００５】
前述した構成の従来の送り機構は、モータがネジ軸を回転させて、ナットをネジ軸の軸方向に沿って変位させることで、光ピックアップをディスク状記録媒体の径方向に沿って移動させる。
【特許文献１】特開平１１−１４９７２８号公報
【特許文献２】特開平１１−１８５４０７号公報
【発明の開示】
【発明が解決しようとする課題】
【０００６】
前述した従来の送り機構では、ネジ軸のネジ溝が、該ネジ軸の一端から他端まで形成されている。また、該ネジ軸によって実際に光ピックアップが移動するのは、光ディスクの内周から外周まで読める範囲であって、それ以上はシャーシの構造や他の部材が配置されることなどによって物理的に移動できなくなっている。しかしながら、ネジ軸にはネジ溝が端部まで形成されているために、ネジ軸が駆動されている限り、光ピックアップが移動しようとして、ネジ軸とナットとの間で歯飛びが発生し異音を発していた。また、歯飛びの際にネジ軸のネジ山にナットが乗り上げてしまうと、ナットがネジ溝に復帰できず制御不能となり、光ピックアップがロックしてしまうという問題があった。
【０００７】
そこで、本発明は、例えば、光ピックアップを移動させる際に、移動範囲の両端で異音の発生を少なくし、光ピックアップがロックすることを防止できる光ピックアップ送り機構および光ピックアップ送り機構を備えた光ディスク再生装置を提供することを課題とする。
【課題を解決するための手段】
【０００８】
上記課題を解決するために、請求項１に記載の発明は、ネジ山を有しかつ回転駆動されるネジ軸と、前記ネジ軸のネジ山に噛み合うネジ部を備えかつネジ軸の軸方向に沿って変位する変位部材と、前記変位部材と連動して前記ネジ軸の軸方向に沿って変位する光ピックアップ部と、前記ネジ軸を回転自在に支持する軸受部と、を備えた光ピックアップ送り機構において、前記ネジ軸の少なくとも一端部が、前記変位部材との噛み合いが外れるとともに、前記ネジ軸の端部と変位部材の噛み合いが外れると前記光ピックアップ部を前記ネジ軸のネジ山に向かって付勢する付勢手段を備えたことを特徴としている。
【発明を実施するための最良の形態】
【０００９】
以下、本発明の一実施形態にかかる光ピックアップ送り機構を説明する。本発明の一実施形態にかかる光ピックアップ送り機構は、ネジ軸の少なくとも一端部が、変位部材との噛み合いが外れるとともに、ネジ軸の端部と変位部材の噛み合いが外れると付勢手段が光ピックアップ部をネジ軸のネジ山に向かって付勢する。このようにすることによって、光ピックアップの移動できる範囲以上ネジ軸が回転駆動されても、噛み合いが外れるために歯飛びが発生しなくなり、異音や光ピックアップがロックすることを防止できる。また、付勢手段でネジ山に向かって付勢しているためにネジ軸が逆方向に回転駆動された際には確実に逆方向へ光ピックアップ部を移動させることができる。
【００１０】
また、付勢手段が、軸受部に備えられてもよい。このようにすることによって、光ピックアップを駆動している主軸上に付勢手段が設けられることとなり、より確実にネジ軸の軸方向に沿って付勢できる。
【００１１】
また、光ピックアップをネジ軸の軸方向に沿って案内する案内部材と、案内部材を支持する案内部材支持部と、を備え、付勢手段が、案内部材支持部に備えられてもよい。このようにすることによって、軸受部材以外の案内部材指示部でも光ピックアップを付勢することができる。
【００１２】
また、ネジ軸の端部が、前記光ピックアップが情報を読み取る光ディスクの最外周の外側および最内周の内側に位置してもよい。このようにすることによって、光ディスクから情報を読み取る範囲外へ光ピックアップが移動しようとしてネジ軸が回転駆動しても異音や、光ピックアップがロックすることを防止できる。
【００１３】
また、付勢手段の付勢力は、変位部材のネジ部がネジ軸のネジ山を超えない程度の力かつ、ネジ山に接触できる程度の力であってもよい。このようにすることによって、変位部材を確実にネジ軸のネジ山に接触できるので光ピックアップを逆方向へ移動させる際に確実に移動させることができる。また、ネジ山を越えない程度の力で付勢しているので変位部材がネジ山に乗り上げてロックしてしまうことがなくなる。
【００１４】
また、光ディスク再生装置に請求項１乃至５のいずれか一項に記載の光ピックアップ送り機構を備えてもよい。このようにすることによって、光ディスク再生装置において、移動範囲の両端で異音の発生を少なくし、光ピックアップがロックすることを防止できる。
【実施例１】
【００１５】
本発明の一実施例にかかる光ピックアップ送り機構１を図１乃至図４を参照して説明する。図１などに示す本発明の光ピックアップ送り機構１は、例えば、ＣＤ（Compact Disc）などの光ディスクに記録された情報を読み出すためのもので、光ディスク再生装置２（図１に一部を示す）などに用いられる。
【００１６】
図１は、光ディスク再生装置の要部斜視図である。図２は、図１に示された光ディスク再生装置の光ピックアップ送り機構１の外周側の平面図である。図３は、図２のＹ方向から見た側面図である。図４は、図２のＡ部分の拡大図である。
【００１７】
光ディスク再生装置２は、図１に示すように、機器本体と、再生部３とを備えている。機器本体は、図示しないケースと、固定シャーシと、を備えている。ケースは、光ディスク再生装置２の外殻を形成し、合成樹脂からなる扁平な箱状に形成されている。ケースには、光ディスクを機器本体内に出し入れするための挿入口が設けられている。固定シャーシは、板金からなり、ケース内に収容されて、該ケースに取り付けられている。
【００１８】
再生部３は、固定シャーシ内に収容されている。再生部３は、板金で構成された移動シャーシ４と、前述した光ディスクをクランプして回転する回転テーブル５と、光ピックアップ送り機構１とを備えている。
【００１９】
移動シャーシ４は、図示しないダンパによって、固定シャーシ即ち機器本体に対して移動自在に支持されている。移動シャーシ４は、略平坦な平坦部６を備えている。平坦部６は、その両表面が機器本体の底壁や天井壁と平行に配置される。平坦部６には、回転テーブル５が後述するようにクランプした光ディスクの径方向に沿って延在した貫通孔７が設けられている。
【００２０】
回転テーブル５は、平坦部６の中央に回転自在に支持されたテーブルと、該テーブルを回転するスピンドルモータ８などを備えている。テーブルは、光ディスクをクランプする。スピンドルモータ８は、移動シャーシ４の平坦部６に取り付けられている。回転テーブル５は、光ディスクをクランプしたテーブルをスピンドルモータ８が回転させて、前述した光ディスクをクランプし、該光ディスクを回転させる。
【００２１】
光ピックアップ送り機構１は、図１や図２などに示すように、移動シャーシ４に取り付けられている。光ピックアップ送り機構１は、図示しないモータと、ネジ軸としてのリードスクリュー１１と、光ピックアップ部１２と、変位部材としてのラック部材１３と、ばね部材１４と、軸受部１５などを備えている。
【００２２】
リードスクリュー１１は、円柱状に形成されて、その外周面にネジ溝１６とネジ山２９が形成されている。リードスクリュー１１の両端部は光ピックアップ部が情報を読み取る光ディスクの最外周の外側および最内周の内側に位置しており、図２や図３に示すようにネジ溝１６とネジ山２９が形成されていない。したがって、両端部では、後述するラック部材１３との噛み合いが外れる。リードスクリュー１１は、その長手方向が、回転テーブル５がクランプした光ディスクの径方向と平行な状態に配されている。リードスクリュー１１は、端部１７（一端部）が軸受部１５によって回転自在に支持され、かつ他端部も同様に軸受部１５によって回転自在に支持されている。
【００２３】
リードスクリュー１１の他端部には、図示しないリードスクリュー１１と同軸的に配されたピニオンギヤが取り付けられており、モータの出力軸に取り付けられたピニオンギヤと双方と噛み合った歯車などによって、モータの回転駆動力が、ピニオンギヤと歯車とを介してリードスクリュー１１に伝えられて、このリードスクリュー１１を回転させる。
【００２４】
光ピックアップ部１２は、光ディスクに記録された情報を取り出す光ピックアップ本体と、ケース１８と、一対の案内軸１９，２０と、を備えている。ケース１８は、合成樹脂などからなりかつ光ピックアップ本体を内部に収容している。ケース１８は、光ピックアップ本体が光ディスク記録された情報を取り出すことを妨げない窓を備えている。
【００２５】
前記ケース１８は、案内軸１９を通す孔２３と、前記案内軸２０に当接する凸部２４と、を備えている。孔２３は、円形に形成されている。孔２３は、案内軸１９に対する摩擦係数が小さく形成されている。凸部２４は、案内軸２０の外形に沿った円弧状に形成されている。凸部２４は、案内軸２０に対する摩擦係数が小さく形成されている。
【００２６】
案内部材としての案内軸１９，２０は、それぞれ、一方向に沿って延在した丸棒状に形成されている。案内軸１９，２０は、互いに間隔を存した状態で、移動シャーシ４に固定されている。案内軸１９，２０は、互いに平行でかつリードスクリュー１１に対し平行な状態で配されている。案内軸１９は、両端が移動シャーシ４に取り付けられた案内部材支持部としての案内軸支持部２１によって支持され、案内軸２０は、両端が移動シャーシ４に取り付けられた案内部材支持部としての案内軸支持部２２によって支持されている。
【００２７】
前述した構成によって、光ピックアップ部１２は、ケース１８内に収容された光ピックアップ本体が、案内軸１９，２０によって、リードスクリュー１１の長手方向に沿って移動自在に支持されている。
【００２８】
ラック部材１３は、図２及び図３などに示すように、帯板状に形成された帯部２５と、ネジ部２６と、を備えている。帯部２５は、長手方向がリードスクリュー１１及び案内軸１９，２０に直交するように配されている。帯部２５は、一端部が光ピックアップ部１２のケース１８に取り付けられている。
【００２９】
ネジ部２６は、帯部２５の他端部に設けられている。ネジ部２６は、リードスクリュー１１のネジ溝１６と互いに噛み合うネジ山２７を備えている。ネジ部２６のネジ山２７は、帯部２５の一端部がケース１８に取り付けられると、リードスクリュー１１のネジ溝１６に噛み合う。ネジ部２６は、リードスクリュー１１に対し接離自在となっている。
【００３０】
すなわち、リードスクリュー１１が回転すると、ラック部材１３のネジ部２６のネジ山２７がリードスクリュー１１のネジ溝１６に沿って移動する。したがって、ラック部材１３とラック部材１３が取り付けられているケース１８もラック部材１３に連動してリードスクリュー１１の長手方向（光ディスクの径方向）に沿って移動する。
【００３１】
ばね部材１４は、図２などに示すように、ラック部材１３とケース１８との間に設けられ、ラック部材１３他端部をリードスクリュー１１に向かって付勢している。
【００３２】
軸受部１５は、移動シャーシ４に取り付けられ、リードスクリュー１１を回転自在に支持する。
【００３３】
付勢手段としてのコイルばね２８は、図４に示すように一端が案内軸支持部２１に取り付けられ、他端が光ディスクの外周まで移動したケース１８に押圧される位置に配され、案内軸１９と同軸に包含するように配置されている。すなわち、コイルばね２８は、光ディスクの外周まで移動したケース１８を光ディスクの内周に向かって付勢している。このコイルばね２８がケース１８を付勢する力は、ケース１８に取り付けられたラック部材１３のネジ部２６がリードスクリュー１１のネジ山２９を乗り越えない程度かつ該リードスクリュー１１の最端部に設けられたネジ山２９に接触できる程度の力である。
【００３４】
上述した構成の光ピックアップ送り機構１における動作を説明する。光ディスクが内周から外周に向かって再生されると、モータが駆動され、モータの駆動に合わせてリードスクリュー１１が回転することで光ピックアップ部１２も内周から外周に向かって移動する。そして、光ピックアップ部１２が光ディスクの外周まで移動すると、リードスクリュー１１にはネジ溝１６やネジ山２９が形成されていないのでリードスクリュー１１とラック部材１３との噛み合いが外れる。したがって、リードスクリュー１１が回転しても、歯飛びが発生しない。
【００３５】
外周部では光ピックアップ部１２はコイルばね２８によって光ディスクの内周に向かって付勢されているために、リードスクリュー１１とラック部１３の噛み合いが外れても、リードスクリュー１１の最端部のネジ山２９と接しているので光ピックアップ部１２を光ディスクの内周方向へ移動させるようにリードスクリュー１１が回転するとラック部材１３の噛み合いが回復し、光ピックアップ部１２を内周方向へ移動させることができる。
【００３６】
本実施例によれば、光ディスク再生装置２の光ピックアップ送り機構１において、リードスクリュー１１の端部１７にはネジ溝１６を形成しない。そして、案内軸支持部２１にコイルばね２８を取り付ける。以上のように構成することで、光ピックアップ部１２が一端部まで移動した際にネジ溝が形成されていないのでネジ溝とラック部材１３との噛み合いが外れる。したがって、歯飛びが発生しないため端部において異音の発生がなく、光ピックアップ１２がロックすることがなくなる。また、コイルばね２８によって他端方向へ付勢されているために、ラック部材１３のネジ部２６とリードスクリュー１１のネジ山２９とが接触した状態を保てるために他端方向への移動が確実に行える。
【００３７】
なお、上述した実施例では、リードスクリュー１１の一端部（光ディスクの外周部）について説明したが、他端部（光ディスクの内周部）においても同様にネジ溝１６とネジ山２９を形成せず、案内軸受部２１に設けたコイルばねで外周に向かって付勢するような構成とすることで同様の効果を奏する事ができる。
【００３８】
また、付勢手段として案内軸受部２１にコイルばねを設けたが、案内軸受部２２やリードスクリュー１１の軸受部１５に設けてもよいし、ケース１８と接する移動シャーシ４に板ばねなどを設けてもよい。
【００３９】
前述した実施例によれば、以下の光ピックアップ送り機構が得られる。
【００４０】
（付記１）ネジ山２９を有しかつ回転駆動されるリードスクリュー１１と、
リードスクリュー１１のネジ山２９に噛み合うネジ部２６を備えかつリードスクリュー１１の軸方向に沿って変位するラック部材１３と、
ラック部材１３と連動してリードスクリュー１１の軸方向に沿って変位する光ピックアップ部１２と、
リードスクリュー１１を回転自在に支持する軸受部１５と、を備えた光ピックアップ送り機構１において、
リードスクリュー１１の少なくとも端部１７が、ラック部材１３との噛み合いが外れるとともに、リードスクリュー１１の端部１７とラック部材１３の噛み合いが外れると光ピックアップ部１２をリードスクリュー１１のネジ山２９に向かって付勢するコイルばね２８を備えたことを特徴とする光ピックアップ送り機構１。
【００４１】
この光ピックアップ送り機構１によれば、光ピックアップ１２の移動できる範囲以上リードスクリュー１１が回転駆動されても、噛み合いが外れるために歯飛びが発生しなくなり、異音や光ピックアップ１２がロックすることを防止できる。
【００４２】
なお、前述した実施例は本発明の代表的な形態を示したに過ぎず、本発明は、実施例に限定されるものではない。すなわち、本発明の骨子を逸脱しない範囲で種々変形して実施することができる。
【図面の簡単な説明】
【００４３】
【図１】本発明の一実施例にかかる光ディスク再生装置の要部斜視図である。
【図２】図１に示された光ディスク再生装置の光ピックアップ送り機構１の外周側の平面図である。
【図３】図２のＹ方向から見た側面図である。
【図４】図２のＡ部分の拡大図である。
【符号の説明】
【００４４】
１        光ピックアップ送り機構
２        光ディスク再生装置
１１      リードスクリュー（ネジ軸）
１２      光ピックアップ部（光ピックアップ）
１３      ラック部材（変位部材）
１５      軸受部
１６      ネジ溝
１７      端部
１９      案内軸（案内部材）
２０      案内軸（案内部材）
２１      案内軸受部（案内部材支持部）
２２      案内軸受部（案内部材支持部）
２８      コイルばね（付勢手段）
２９      ネジ山
【図１】
2008152859.tif 000003
【図２】
2008152859.tif 000004
【図３】
2008152859.tif 000005
【図４】
2008152859.tif 000006